(57)【要約】【課題】形状を大型化することなく、コネクタ同士の嵌合状態を確実に保持することを目的とする。【解決手段】ハウジング７とシェル部材８とレバー９とを有するレバー式コネクタ１であって、相手側ハウジング４とハウジング７とがレバー９の回転操作によって嵌合接続された状態となると、相手側ハウジング４を有する相手側コネクタ２に設けられた相手側ボルト孔２６と軸線Ｃ１・Ｃ２が一致する位置に移動するボルト孔２８を備え、相手側ハウジング４とハウジング７とが嵌合接続された状態において、相手側ボルト孔２６及びボルト孔２８にボルト２９を連通することで嵌合接続状態が保持されることを特徴とする。【選択図】図１
2017054753.tif 000002
【特許請求の範囲】
【請求項１】
相手側ハウジングに嵌合接続されるハウジングと、前記ハウジングを覆うシェル部材と、前記ハウジングに設けられ、回転操作することで前記相手側ハウジングと前記ハウジングとを嵌合接続するレバーと、を有するレバー式コネクタであって、前記相手側ハウジングと前記ハウジングとが前記レバーの回転操作によって嵌合接続された状態となると、前記相手側ハウジングを有する相手側コネクタに設けられた相手側ボルト孔と軸線が一致する位置に移動するボルト孔を備え、前記相手側ハウジングと前記ハウジングとが嵌合接続された状態において、前記相手側ボルト孔及び前記ボルト孔にボルトを連通することで嵌合接続状態が保持されることを特徴とするレバー式コネクタ。
【請求項２】
前記シェル部材と前記ハウジングとの間に隙間を有しており、前記相手側ボルト孔及び前記ボルト孔に前記ボルトが連通された場合であっても、前記ハウジングの位置は移動しないことを特徴とする請求項１に記載のレバー式コネクタ。
【発明の詳細な説明】
【技術分野】
【０００１】
この発明はレバー式コネクタに係り、特に、相手側コネクタとの嵌合状態を確実に保持することができるレバー式コネクタに関する。
【背景技術】
【０００２】
従来、導線を接続するコネクタの構造としては、例えば、特許文献１のようなレバー式コネクタが知られている。特許文献１のレバー式コネクタは、レバーを回転操作してコネクタを相手側コネクタに嵌合接続した状態で、ハウジングに設けたロック部の係合部がレバーの操作部と係合してレバーの移動を阻止することで、コネクタの嵌合状態を保持する構造となっている。
【０００３】
また、従来のレバー式コネクタには、図７〜図９に示すものがある。図７において、レバー式コネクタ１０１は、相手側コネクタ１０２に嵌合接続される。レバー式コネクタ１０１は、ハウジング１０３に突設されたレバー軸１０４にレバー１０５を連結部１０６により回転可能に設けている。レバー１０５には、相手側コネクタ１０２の相手側ハウジング１０７に突設したガイド軸１０８に係合するガイド溝１０９を設けている。
レバー式コネクタ１０１は、レバー１０５を図８に示す解放位置から図９に示す嵌合位置に向かい矢印Ａ方向に回転操作すると、ガイド軸１０８と接するガイド溝１０９の位置が始端部１１０から終端部１１１に向かい押進部１１２を経て移動し、ハウジング１０３が相手側ハウジング１０７に深く被さるように押進される。レバー式コネクタ１０１は、レバー１０５が嵌合位置へ回転操作され、ガイド軸１０８と接するガイド溝１０９の位置が終端部１１１に達すると、相手側ハウジング１０７とハウジング１０３との嵌合接続が完了する。
レバー式コネクタ１０１は、ハウジング１０２にロック部１１３を備える。レバー式コネクタ１０１は、ロック部１１３を操作して嵌合位置のレバー１０５の図示しない係合部に係合することでレバー１０５を固定し、レバー式コネクタ１０１の相手側コネクタ１０２との嵌合状態を保持する。
【先行技術文献】
【特許文献】
【０００４】
【特許文献１】特開２０１３−０２６１５４号公報
【発明の開示】
【発明が解決しようとする課題】
【０００５】
しかしながら、図７〜図９に示すレバー式コネクタ１０１は、ハウジング１０３にロック部１１３を設け、レバー１０５に係合部を設ける必要がある。このため、従来は、ハウジング１０３及びレバー１０５を含んだレバー式コネクタ１０１が大型化してしまう、という問題があった。
【０００６】
この発明は、形状を大型化することなくコネクタ同士の嵌合状態を確実に保持することができるレバー式コネクタを実現することを目的とする。
【課題を解決するための手段】
【０００７】
この発明は、相手側ハウジングに嵌合接続されるハウジングと、ハウジングを覆うシェル部材と、ハウジングに設けられ、回転操作することで相手側ハウジングとハウジングとを嵌合接続するレバーと、を有するレバー式コネクタであって、相手側ハウジングとハウジングとがレバーの回転操作によって嵌合接続された状態となると、相手側ハウジングを有する相手側コネクタに設けられた相手側ボルト孔と軸線が一致する位置に移動するボルト孔を備え、相手側ハウジングとハウジングとが嵌合接続された状態において、相手側ボルト孔及びボルト孔にボルトを連通することで嵌合接続状態が保持されることを特徴とする。
【発明の効果】
【０００８】
この発明は、ハウジング同士が嵌合接続された状態となると、相手側コネクタの相手側ボルト孔に対してボルトで固定可能な位置にレバー式コネクタのボルト孔が移動するため、ロック部を設けることなく確実に相手側コネクタに対する嵌合状態を保持することができ、大型化することがない。また、この発明は、ハウジング同士をボルトで固定するので、複数の端子を接続するコネクタ同士であっても、１箇所で嵌合接続状態を保持することが可能となる。
【図面の簡単な説明】
【０００９】
【図１】図１はレバーが嵌合位置のレバー式コネクタの斜視図である。（実施例）
【図２】図２は相手側コネクタにレバー式コネクタを嵌合した状態の斜視図である。（実施例）
【図３】図３は相手側コネクタにレバー式コネクタを嵌合した状態の断面図である。（実施例）
【図４】図４（Ａ）はハウジングがシェル部材で覆われる前の概略側面図、図４（Ｂ）はハウジングがシェル部材で覆われた状態の概略側面図である。（実施例）
【図５】図５は相手側コネクタにレバー式コネクタを嵌合する前の状態の側面図である。（実施例）
【図６】図６は相手側コネクタにレバー式コネクタを嵌合した状態の側面図である。（実施例）
【図７】図７は相手側コネクタにレバー式コネクタを嵌合した状態の斜視図である。（従来例）
【図８】図８は相手側コネクタにレバー式コネクタを嵌合する前の状態の側面図である。（従来例）
【図９】図９は相手側コネクタにレバー式コネクタを嵌合した状態の側面図である。（従来例）
【発明を実施するための形態】
【００１０】
以下、図面に基づいて、この発明の実施例を説明する。
【実施例】
【００１１】
図１〜図６は、この発明の実施例を示すものである。図１〜図３において、レバー式コネクタ１は、相手側コネクタ２に嵌合接続される。
相手側コネクタ２は、図２・図３に示すように、基板３に固定された相手側ハウジング４を有する。基板３と相手側ハウジング４との間は、シール部材５によりシールされる。相手側ハウジング４内には、複数の相手側端子６が収容される。相手側端子６には、不図示のケーブルが接続される。
【００１２】
レバー式コネクタ１は、図１〜図４に示すように、ハウジング７と、シェル部材８と、レバー９と、を有する。
ハウジング７は、相手側端子６に嵌合接続される端子１０を備えており、レバー９の回転操作により相手側ハウジング４に嵌合接続される。ハウジング７に収容されている端子１０には、ケーブル１１が接続される。ケーブル１１は、保持部材１２によりハウジング７を覆うシェル部材８に保持され、シール部材１３によりシェル部材８との間をシールされる。端子１０は、相手側ハウジング４にハウジング７を嵌合接続することで、相手側端子６と電気的に接続される。
ハウジング７は、図４（Ａ）に示すように、幅方向両側にレバー９を回転自在に支持するレバー軸１４を備える。シェル部材８は、幅方向両側にレバー軸１４を挿通する挿通溝１５を備える。挿通溝１５は、シェル部材８の長手方向一側に開口し、長手方向他側に向かい中間部位まで延びている。ハウジング７は、図４（Ｂ）に示すように、レバー軸１４を挿通溝１５に挿通しつつシェル部材８に挿入することで、シェル部材８により覆われて保持される。シェル部材８で覆われたハウジング７は、レバー軸１４が挿通溝１５を通りシェル部材８の外側に突出される。
ハウジング７とハウジング７を覆うシェル部材８との間には、図３に示すように、隙間Ｓを有している。ハウジング７は、隙間Ｓによって、シェル部材８に対して移動することが可能にシェル部材８により覆われる。シェル部材８は、相手側ハウジング４にハウジング７を嵌合接続することで、相手側ハウジング４を覆うように移動する。相手側ハウジング４とハウジング７との間は、シール部材１６によりシールされる。
レバー９は、ハウジング７の幅方向両側に配置される一対の側板部１７と、一対の側板部１７をハウジング７に連結する連結部１８と、一対の側板部１７を連絡する操作部１９と、を備える。レバー９は、連結部１８をハウジング７に設けられたレバー軸１４に取り付けることで、レバー軸１４に回転自在に支持される。レバー９は、操作部１９によってレバー軸１４を中心に回転操作される。
一対の側板部１７は、相手側ハウジング４に突出して設けられた一対のガイド軸２０に係合するガイド溝２１を備える。ガイド溝２１は、ガイド軸２０を受け入れる開放された始端部２２と、相手側ハウジング４にハウジング７を嵌合状態とする終端部２３と、始端部２２から終端部２３に向かうにつれてレバー軸１４とガイド軸２０との距離が短くなるように湾曲する押進部２４と、を有する。
【００１３】
レバー式コネクタ１は、ハウジング７を相手側コネクタ２の相手側ハウジング４に僅かに嵌合し、シェル部材８を相手側コネクタ２の相手側ハウジング４に被せて、相手側ハウジング４に設けられたガイド軸２０を、レバー９の一対の側板部１７に設けられたガイド溝２１の始端部２２に合わせて受け入る。
そして、ガイド軸２０をガイド溝２１の始端部２２に受け入れた状態において、レバー式コネクタ１は、レバー９を操作部１９により図５に示す解放位置から図６に示す嵌合位置に向かい矢印Ａ方向に回転操作すると、ガイド軸２０と接するガイド溝２１の位置が始端部２２から押進部２４を経て終端部２３に向かい移動する。
レバー式コネクタ１は、レバー９の回転操作で、ガイド軸２０と接するガイド溝２１の位置が押進部２４を終端部２３に向かい移動すると、ガイド軸２０とレバー軸１４とが近づくことで、ハウジング７が相手側コネクタ２の相手側ハウジング４に深く嵌合し、シェル部材８が相手側ハウジング４に深く被さるように押進される。
レバー式コネクタ１は、レバー９が嵌合位置へ回転操作され、ガイド軸２０と接するガイド溝２１の位置が押進部２４を過ぎて終端部２３に達すると、相手側ハウジング４とハウジング７との嵌合接続が完了し、シェル部材８が相手側ハウジング４を完全に覆う位置に移動する。レバー式コネクタ１は、相手側ハウジング４とハウジング７との嵌合接続完了で、端子１０が相手側端子６と電気的に接続される。
【００１４】
相手側ハウジング４を有する相手側コネクタ２は、図５に示すように、相手側ハウジング４が固定された基板３の上部に固定部２５を備える。固定部２５には、相手側ボルト孔２６を備える。レバー式コネクタ１は、相手側コネクタ２に嵌合した状態において、相手側コネクタ２の固定部２５の上部に位置するように延びる突出部２７をシェル部材８に備える。突出部２７には、ボルト孔２８を備える。突出部２７は、図６に示すように、レバー式コネクタ１を相手側コネクタ２に嵌合した状態において、相手側コネクタ２の相手側ボルト孔２６の軸線Ｃ１とボルト孔２８の軸線Ｃ２が一致する位置に移動する。
レバー式コネクタ１は、軸線Ｃ１・Ｃ２が一致した相手側ボルト孔２６及びボルト孔２８に挿通されるボルト２９を備える。ボルト２９は、相手側ボルト孔２６及びボルト孔２８に挿通されることで、レバー式コネクタ１の相手側コネクタ２との嵌合接続状態を保持する。
レバー式コネクタ１は、相手側ハウジング４とハウジング７とがレバー９の回転操作によって嵌合接続された状態となると、突出部２７が固定部２５の上部に位置するように移動し、ボルト孔２８が相手側コネクタ２の相手側ボルト孔２６と軸線Ｃ１・Ｃ２が一致する位置に移動する。レバー式コネクタ１は、相手側ハウジング４とハウジング７とが嵌合接続された状態において、相手側ボルト孔２６及びボルト孔２８にボルト２９を連通して締め付けることで、図６に示すように、相手側ハウジング４とハウジング７との嵌合接続状態が保持される。
【００１５】
このように、レバー式コネクタ１は、相手側ハウジング４及びハウジング７同士が嵌合接続された状態となると、相手側コネクタ２の相手側ボルト孔２６に対してボルト２９で固定可能な位置にボルト孔２８が移動するため、相手側ボルト孔２６及びボルト孔２８にボルト２９を連通することで、ロック部を設けることなく確実に相手側コネクタ２に対するレバー式コネクタ１の嵌合状態を保持することができ、ロック部を設けていないので、大型化することがない。
また、レバー式コネクタ１は、相手側コネクタ２とボルト２９で固定するので、複数の端子１０を接続するコネクタであっても、１箇所で嵌合接続状態を保持することが可能となる。
さらに、レバー式コネクタ１は、シェル部材８とハウジング７との間に隙間Ｓを有しており、相手側ボルト孔２６及びボルト孔２８にボルト２９が連通されて、相手側コネクタ２との嵌合状態が保持された場合であっても、ハウジング７に対するシェル部材８の移動を隙間Ｓで許容して、ハウジング７が動くことはない。
このため、レバー式コネクタ１は、従来のようにロック部を設けることなく、確実に相手側コネクタ２に対する嵌合状態を保持することができる。
【産業上の利用可能性】
【００１６】
この発明は、形状を大型化することなくコネクタ同士の嵌合状態を確実に保持することができるものであり、各種の電気装置のケーブルを接続するコネクタに利用することが可能である。
【符号の説明】
【００１７】
１  レバー式コネクタ
２  相手側コネクタ
３  基板
４  相手側ハウジング
６  相手側端子
７  ハウジング
８  シェル部材
９  レバー
１４  レバー軸
１７  側板部
１８  連結部
１９  操作部
２０  ガイド軸
２１  ガイド溝
２５  固定部
２６  相手側ボルト孔
２７  突出部
２８  ボルト孔
２９  ボルト
【図１】
2017054753.tif 000003
【図２】
2017054753.tif 000004
【図３】
2017054753.tif 000005
【図４】
2017054753.tif 000006
【図５】
2017054753.tif 000007
【図６】
2017054753.tif 000008
【図７】
2017054753.tif 000009
【図８】
2017054753.tif 000010
【図９】
2017054753.tif 000011